(57)【要約】【課題】タイマー時間の経過を通知し、タイマー時間の終了を音楽の再生の終了で通知するタイマー機能を有する音楽再生装置の提供を目的とする。【解決手段】音楽データを記録するメモリと、前記メモリに記録された音楽データを再生する再生手段とを有する音楽再生装置であって、タイマー時間を設定するタイマー時間設定手段を備え、前記再生手段は、前記タイマー時間設定手段で設定されたタイマー時間の経過に伴って徐々にテンポを上げながら前記タイマー時間内で前記音楽データを再生する。【選択図】図１
2011112817.tif 000002
【特許請求の範囲】
【請求項１】
音楽データを記録するメモリと、前記メモリに記録された音楽データを再生する再生手段とを有する音楽再生装置であって、
タイマー時間を設定するタイマー時間設定手段を備え、
前記再生手段は、前記タイマー時間設定手段で設定されたタイマー時間の経過に伴って徐々にテンポを上げながら前記タイマー時間内で前記音楽データを再生することを特徴とする音楽再生装置。
【請求項２】
選択された音楽データの再生時間よりタイマー時間に設定した時間が長いときに、タイマー時間の終了時まで音楽データの再生が継続するように前記メモリ内から音楽データを選択する選択手段を供え、
前記再生手段は、前記選択手段で選択した音楽データを再生し、テンポを調節することを特徴とする請求項１に記載の音楽再生装置。
【請求項３】
前記選択手段は、前記メモリ内の音楽データのうち、設定されたタイマー時間から、あらかじめ設定された音楽データの再生時間を引いた残り時間に合う音楽データを選択することを特徴する請求項２に記載の音楽再生装置。
【発明の詳細な説明】
【技術分野】
【０００１】
本発明は、音楽データを記録するメモリと、前記メモリに記録された音楽データを再生する再生手段を有する音楽装置に関するものである。
【背景技術】
【０００２】
従来、音楽再生装置は、タイマー機能として、タイマー時間を設定するタイマー設定機能を有し、タイマー時間の終了時に音楽データの再生を停止して、タイマー時間の終了を通知するものが知られている。
【０００３】
特許文献１では、音楽データの音量を徐々に小さくし、一定時間でタイマー再生を停止することが開示されている。
【０００４】
特許文献２では、音楽データをメモリに記録し、再生条件を独立に設定することが開示されている。
【先行技術文献】
【特許文献】
【０００５】
【特許文献１】登録実用新案第３０６７４３１号公報
【特許文献２】特開２００７−０９４０６０号公報
【発明の概要】
【発明が解決しようとする課題】
【０００６】
しかしながら、従来の音楽再生装置は、単に音量を徐々に小さくしているだけであるため、選択されたタイマー時間内に再生する音楽データの再生時間がタイマー時間より短い場合、タイマー時間の終了がわかりにくいという問題があった。
【０００７】
そこで、本発明は、上記従来の問題点を解決し、選択された音楽データがタイマー時間より短い場合でも、タイマー時間の終了を通知することができる音楽再生装置を提供することを目的とする。
【課題を解決するための手段】
【０００８】
本発明の発明は、音楽データを記録するメモリと、前記メモリに記録された音楽データを再生する再生手段とを有する音楽再生装置であって、タイマー時間を設定するタイマー時間設定手段を備え、前記再生手段は、前記タイマー時間設定手段で設定されたタイマー時間の経過に伴って徐々にテンポを上げながら前記タイマー時間内で前記音楽データを再生することを特徴とする音楽再生装置としたものである。このような構成をとることにより、タイマー時間の経過と終了を、テンポによってユーザーに感覚的に通知することができるという作用を有する。
【発明の効果】
【０００９】
本発明の音楽再生装置は、タイマー時間の経過に応じてテンポを調節し、ユーザーに対して、タイマー時間の経過を通知することができ、再生時間がタイマー時間より短い音楽データを選択した場合でも、メモリ内の音楽データを選択して再生することで、音楽データの再生の停止によって、タイマー時間の終了を通知することができる。
【図面の簡単な説明】
【００１０】
【図１】実施の形態１にかかる音楽再生装置のブロック図
【図２】実施の形態２にかかる音楽再生装置のブロック図
【発明を実施するための形態】
【００１１】
以下、本発明の音楽再生機器の実施の形態について、図面を参照しながら説明する。
（実施の形態１）
図１は、実施の形態１にかかる音楽再生装置のブロック図である。
【００１２】
音楽再生装置１００は、メモリ１０１と、再生手段１０２と、タイマー設定手段１０３と、選択手段１０４で構成される。
【００１３】
メモリ１０１は、音楽データを格納する。
【００１４】
再生手段１０２は、メモリ１０１に記録されている音楽データを再生する。
【００１５】
タイマー設定手段１０３は、タイマー時間を設定する。
【００１６】
選択手段１０４は、メモリ１０１に記録される音楽データから音楽データを少なくとも１つ選択する。
【００１７】
次に、音楽再生装置１００の動作を説明する。
【００１８】
ユーザーは、タイマー設定手段１０３でタイマー時間を設定し、選択手段１０４でメモリ１０１内の音楽データの中から再生音楽データを選択する。再生手段１０２は、選択された再生音楽データを再生する。そしてタイマー設定手段１０３で設定されたタイマー時間の経過に伴い、徐々にテンポを上げて再生をする。これにより、ユーザーはタイマー時間の経過を知ることができる。
（実施の形態２）
図２は、実施の形態１にかかる音楽再生装置のブロック図である。
【００１９】
音楽再生装置２００は、メモリ１０１と、再生手段２０２と、タイマー設定手段１０３と、第１の選択手段２０４と、第２の選択手段２０５で構成される。ここで、実施の形態１と同様の構成に関しては説明を省略する。
【００２０】
第１の選択手段２０４は、実施の形態１の選択手段１０４と同等の機能を有する。
【００２１】
第２の選択手段２０５は、既に選択されている音楽データに続いて連続して再生するための音楽データをメモリ１０１に記録されている音楽データから選択する。
【００２２】
再生手段２０２は、第１の選択手段２０４で選択した音楽データを再生し終了後、第２の選択手段で選択した音楽データを再生する。
【００２３】
次に、音楽再生装置２００の動作を説明する。
【００２４】
ユーザーは、タイマー設定手段１０３でタイマー時間を設定し、第１の選択手段２０４でメモリ１０１内の音楽データの中から再生音楽データを選択する。このとき、第１の選択手段２０４で選択された音楽データが、タイマー設定手段１０３で設定されたタイマー時間より短いとき、第２の選択手段２０５は、メモリ１０１内の音楽データを選択する。そして、再生手段２０２は、第１の選択手段２０４で選択された音楽データを再生し終了したあと、第２の選択手段で選択した音楽データを再生する。さらに再生手段１０３は、タイマー時間の経過に伴い、徐々にテンポを上げて再生する。これにより、ユーザーは、タイマー時間の経過を知ることができる。
【産業上の利用可能性】
【００２５】
本発明の音楽再生装置は、タイマー時間を再生中の音楽データのテンポや再生の終了によって通知することができ、おめざめ・おやすみなどのタイマー機能の用途に適用できる。
【符号の説明】
【００２６】
１００    音楽再生装置
１０１    メモリ
１０２    再生手段
１０３    タイマー設定手段
１０４    選択手段
２０４    第１の選択手段
２０５    第２の選択手段
【図１】
2011112817.tif 000003
【図２】
2011112817.tif 000004